(57)【要約】      （修正有）【課題】鮮明な赤色の照度の高いバーコードマーカーを１つのバーコードに絞って照射可能なバーコードマーカー照射器を提供する。【解決手段】カメラ付き携帯電話機のフラッシュ光出射部から照明光を前方のバーコードへ照射可能に電話機に装着されるバーコードマーカー照射器は、電話機又は電話機カバーに固定されるレンズモジュール１０を有し、レンズモジュール１０は、電話機側から順に配置されるホルダ部材１１と、照明光を絞る小孔を有する絞り部材１２と、照明光を赤色光にする赤色フィルター１３と、筒状のレンズホルダ１５と、レンズホルダ１５の先端部に装着された凸レンズ１６を備えている。【選択図】図３
0003220020.tif 000002
【実用新案登録請求の範囲】
【請求項１】
カメラ付き携帯電話機のフラッシュ光出射部から照明光を前方のバーコードへ照射可能に前記電話機に装着されるバーコードマーカー照射器であって、
前記電話機又は電話機カバーに固定されるレンズモジュールを有し、
前記レンズモジュールは、電話機側から順に配置されるホルダ部材と、前記フラッシュ光を絞る小孔を有する絞り部材と、前記フラッシュ光を赤色光にする赤色フィルターと、筒状のレンズホルダと、前記レンズホルダの先端部に装着された凸レンズを備えたことを特徴とするバーコードマーカー照射器。
【請求項２】
前記レンズモジュールは、前記絞り部材と前記赤色フィルターの間に装着されるワッシャ部材を有することを特徴とする請求項１に記載のバーコードマーカー照射器。
【請求項３】
前記レンズモジュールを電話機又は電話機カバーに固定する固定手段を有することを特徴とする請求項１又は２に記載のバーコードマーカー照射器。
【請求項４】
前記固定手段は、前記レンズモジュールを着脱可能なクリップであって電話機又は電話機カバーに着脱可能なクリップを有することを特徴とする請求項３に記載のバーコードマーカー照射器。
【請求項５】
前記固定手段は、前記レンズモジュールを着脱可能なアタッチメントであって電話機又は電話機カバーに両面テープ片又は粘着剤又は接着剤で固定されるアタッチメントを有することを特徴とする請求項３に記載のバーコードマーカー照射器。
【請求項６】
前記固定手段は、前記ホルダ部材に装着した永久磁石と、電話機カバーにビス又は両面テープ片又は粘着剤又は接着剤で固定された磁性体製の板片とを有することを特徴とする請求項３に記載のバーコードマーカー照射器。
【請求項７】
前記固定手段は、前記ホルダ部材に装着した永久磁石と、電話機又は電話機カバーに固定された磁性体製の板片と、この板片を電話機又は電話機カバーに固定する両面テープ片
又は粘着剤又は接着剤を有することを特徴とする請求項３に記載のバーコードマーカー照射器。
【請求項８】
前記板片よりも電話機又は電話機カバー側に磁気ガードシートを装着したことを特徴とする請求項７に記載のバーコードマーカー照射器。
【請求項９】
前記固定手段は、前記ホルダ部材を電話機又は電話機カバーに固定する両面テープ片又は粘着剤又は接着剤を有することを特徴とする請求項３に記載のバーコードマーカー照射器。
【考案の詳細な説明】
【技術分野】
【０００１】
本考案は、携帯電話機に装着されるバーコードマーカー照射器に関し、特に携帯電話機のカメラでバーコードを撮影する際にバーコードに明るいバーコードマーカーを照射可能にしたものに関する。
【背景技術】
【０００２】
バーコードを読み取る専用の携帯型バーコード読取り装置が実用に供されているものの、この種の携帯型バーコード読取り装置は重量も重く使い勝手が悪いこと、価格が非常に高価であること等の問題がある。このバーコード読取り装置は、レーザー光を介して１次元バーコードを読み取る機能と、カメラにより２次元バーコードを読み取る機能とを有する。
【０００３】
１次元バーコードを読み取る際には読取り用の赤色のレーザー光がバーコードマーカーとして機能する。２次元バーコードを読み取る際には、照明光出力部から赤色の照明光からなるバーコードマーカーを照射して２次元バーコードを指示する。上記のバーコード読取り装置は表示画面を有し、操作者はバーコードマーカーを介してバーコードを確認しながら、表示画面に必要なデータを入力することができる。
【０００４】
一方、最近のスマートフォンは、バーコードを読み取り可能なカメラを有し、このカメラでバーコードを読み取り可能にするアプリケーションも市販されている。
そこで、前記専用のバーコード読取り装置の代わりに、スマートフォンのバーコードマーカー読取り機能を活用することが考えられる。
【０００５】
しかし、スマートフォンは、フラッシュ装置を有するものの、バーコードマーカーを照射可能に構成されていないため、スマートフォンでバーコードを読取る際には、画面に表示されたバーコードを見ながらバーコードをカメラの視界のほぼ中央に位置させつつバーコードを撮影する。
【０００６】
ここで、本考案と直接関係しない先行技術ではあるが、特許文献１には、携帯電話機に装着されるコンバージョンレンズを含むレンズモジュールと、このレンズモジュールを用いて撮影する際に、被写体を照らすコンバージョンレンズ用照明手段（ＬＥＤランプ）を設け、撮影時にフラッシュ装置の作動に同期してコンバージョンレンズ用照明手段を瞬間的に作動させるようにしたレンズモジュールが開示されている。
【先行技術文献】
【特許文献】
【０００７】
【特許文献１】特開２０１３−２５７５１８号公報
【考案の概要】
【考案が解決しようとする課題】
【０００８】
前記スマートフォンのバーコード読取り機能を活用する場合、読取り対象のバーコード
を指示するバーコードマーカーがないため、表示画面に表示されたバーコードを見ながら撮影しなければならない。そのため、関連する必要なデータ入力用に表示画面を活用することができないという問題がある。
【０００９】
また、バーコードマーカーがないため、暗い環境下にバーコードを撮影する際には、
表示画面上のバーコードが見にくいこと、バーコードが複数並んでいるような場合に撮影対象のバーコードがどれか特定しにくいこと、等の問題もある。
【００１０】
本考案の目的は、カメラ付携帯電話機でバーコードを読み取る際にフラッシュ光出射部から前方のバーコードへ照明光を照射可能に前記電話機に装着されるバーコードマーカー照射器を提供することである。
【課題を解決するための手段】
【００１１】
請求項１のバーコードマーカー照射器は、カメラ付き携帯電話機のフラッシュ光出射部から照明光を前方のバーコードへ照射可能に前記電話機に装着されるバーコードマーカー照射器であって、前記電話機又は電話機カバーに固定されるレンズモジュールを有し、
前記レンズモジュールは、電話機側から順に配置されるホルダ部材と、前記フラッシュ光を絞る小孔を有する絞り部材と、前記フラッシュ光を赤色光にする赤色フィルターと、筒状のレンズホルダと、前記レンズホルダの先端部に装着された凸レンズを備えたことを特徴としている。
【００１２】
上記の構成によれば、カメラ付携帯電話機のカメラでバーコードを撮影する際に、バーコードマーカー照射器により前方のバーコードに照明光を照射可能であるため、その照明光からなるバーコードマーカーでもって撮影対象のバーコードを照明し且つ指示することができる。そのため、電話機の表示画面にはバーコードを表示する必要がなく、表示画面を必要なデータ入力用の画面として活用することができる。
【００１３】
このバーコードマーカー照射器では、照明光を絞り部材で絞った上で、焦点距離例えば１５ｍｍの凸レンズでもって集光し、赤色フィルターにより赤色光にするため、赤色の円形の明るいバーコードマーカーをバーコードに照射することができ、撮影対象のバーコードを容易に確認することができる。
【００１４】
請求項２のバーコードマーカー照射器は、請求項１の考案において、前記レンズモジュールは、前記絞り部材と前記赤色フィルターの間に装着されるワッシャ部材を有することを特徴としている。この構成によれば  ワッシャ部材により赤色フィルターの外周部を押えて平面性を確保することができる。
【００１５】
請求項３のバーコードマーカー照射器は、請求項１又は２の考案において、前記レンズモジュールを電話機又は電話機カバーに固定する固定手段を有することを特徴としている。
上記の構成によれば、固定手段によりレンズモジュールを電話機又は電話機カバーに固定することができる。
【００１６】
請求項４のバーコードマーカー照射器は、請求項３の考案において、前記固定手段は、前記レンズモジュールを着脱可能なクリップであって電話機又は電話機カバーに着脱可能なクリップを有することを特徴としている。
上記の構成によれば、クリップによりレンズモジュールを簡単に電話機又は電話機カバーに着脱することができる。
【００１７】
請求項５のバーコードマーカー照射器は、請求項３の考案において、前記固定手段は、前記レンズモジュールを着脱可能なアタッチメントであって電話機又は電話機カバーに両面テープ片又は粘着剤又は接着剤で固定されるアタッチメントを有することを特徴としている。上記の構成によれば、アタッチメントを両面テープ片又は粘着剤又は接着剤で電話機又は電話機カバーに固定することができる。
【００１８】
請求項６のバーコードマーカー照射器は、請求項３の考案において、前記固定手段は、前記ホルダ部材に装着した永久磁石と、電話機カバーにビス又は両面テープ片又は粘着剤又は接着剤で固定された磁性体製の板片とを有することを特徴としている。
上記の構成によれば、前記永久磁石を磁性体製の板片に吸着させることでレンズモジュールを電話機カバーに簡単に着脱することができる。
【００１９】
請求項７のバーコードマーカー照射器は、請求項３の考案において、前記固定手段は、前記ホルダ部材に装着した永久磁石と、電話機又は電話機カバーに固定された磁性体製の板片と、この板片を電話機又は電話機カバーに固定する両面テープ片又は粘着剤又は接着剤を有することを特徴としている。
【００２０】
上記の構成によれば、永久磁石を磁性体製の板片に吸着させることでレンズモジュールを電話機又は電話機カバーに簡単に着脱可能に固定することできる。しかも、板片を両面テープ片又は粘着剤又は接着剤により簡単に電話機又は電話機カバーに固定することができる。
【００２１】
請求項８のバーコードマーカー照射器は、請求項７の考案において、前記板片よりも電話機又は電話機カバー側に磁気ガードシートを装着したことを特徴としている。
上記の構成によれば、永久磁石から出る磁界を磁気ガードシートで遮断し、電話機に悪影響を及ぼすのを防ぐことができる。
【００２２】
請求項９のバーコードマーカー照射器は、請求項３の考案において、前記固定手段は、前記ホルダ部材を電話機又は電話機カバーに固定する両面テープ片又は粘着剤又は接着剤を有することを特徴としている。
上記の構成によれば、ホルダ部材を両面テープ片又は粘着剤又は接着剤を介して電話機又は電話機カバーに固定することができる。
【考案の効果】
【００２３】
本考案によれば、前記のような種々の効果が得られる。
【図面の簡単な説明】
【００２４】
【図１】本考案の実施例１に係る携帯電話機とこの携帯電話機に取り付けたバーコードマーカー照射器とバーコードとバーコードマーカーの斜視図である。
【図２】前記バーコードマーカー照射器のレンズモジュールの斜視図である。
【図３】前記バーコードマーカー照射器とクリップの分解斜視図である。
【図４】図２のレンズモジュールの断面図である。
【図５】実施例２に係る図３相当図である。
【図６】実施例３に係る図３相当図である。
【図７】実施例３のレンズモジュールの断面図である。
【図８】実施例４に係る図３相当図である。
【図９】実施例５に係る電話機に取付けた電話機カバーとこの電話機カバーに取付けたバーコードマーカー照射器の斜視図である。
【考案を実施するための形態】
【００２５】
以下、本考案を実施するための種々の形態について実施例に基づいて説明する。
【実施例１】
【００２６】
図１に示すように、このバーコードマーカー照射器１は、カメラ付き携帯電話機２のフラッシュ光出射部から照明光３を前方のバーコード５へ照射可能に電話機１に装着されるものであり、赤色の円形のバーコードマーカー４のサイズは約２ｃｍ〜３ｃｍで、電話機２とバーコード５間の距離が大きくなる程バーコードマーカー４のサイズが大きくなる。
【００２７】
図２〜図４に示すように、バーコードマーカー照射器１のレンズモジュール１０は、電話機２側から順に配置されるホルダ部材１１と、照明光３を絞る直径約２ｍｍの小孔１２ａを有する絞り部材１２と、ワッシャ部材１３と、照明光３を赤色光にするフィルター部材１４と、筒状のレンズホルダ１５と、レンズホルダ１５の先端部に装着された凸レンズ１６（例えば、焦点距離１５ｍｍ）を備えている。尚、前記ワッシャ部材１３は必須のものではなく、省略可能である。
【００２８】
ホルダ部材１１は、金属製の環状体で、大径部１１ａと小径部１１ｂとを有する。大径部１１ａには円筒穴１１ｃが形成され、小径部１１ｂの外周面に雄ネジ部１１ｓが形成され、小径部１１ｂの内部に貫通孔１１ｄが形成されている。このホルダ部材１１は、雄ネジ部１１ｓを固定手段Ｆであるクリップ６の環状部６ａのネジ穴６ｓに螺合させることでクリップ６に着脱可能に固定される。尚、以下の説明において、「基端」は電話機２側の端部を意味し、「先端」は電話機２とは反対側の端部を意味する。
【００２９】
前記レンズホルダ１５には円筒孔１５ａが形成され、レンズホルダ１５の基端部分には
円筒孔１５ａよりも大径の収容穴１５ｂが形成されている。この収容穴１５ｂに、フィルター部材１４とワッシャ部材１３と絞り部材１２が積層状に装着され、レンズホルダ１５の先端部に凸レンズ１６が装着されている。
【００３０】
このように諸部品を装着したレンズホルダ１５の基端側の所定部分がホルダ部材１１の円筒穴１１ｃに挿入装着され、レンズホルダ１５とホルダ部材１１とが接着剤にて固着されている。但し、レンズホルダ１５とホルダ部材１１とをネジ結合にて連結してもよい。尚、凸レンズ１６の外周部を接着剤１６ａでレンズホルダ１５に接着することが望ましい。
【００３１】
前記レンズモジュール１０は、固定手段Ｆであるクリップ６により電話機２に固定される。前記クリップ６は、レンズモジュール１０を電話機２に着脱可能に固定するものである。このクリップ６は、レンズモジュール１０を装着する環状部６ａと、この環状部６ａから側方へ延びる前腕６ｂと、この前腕６ｂにピンを介して回動可能に連結された後腕６ｃであって環状部６ａの背面側にある押え部６ｄを有する後腕６ｃ、環状部６ａに押え部６ｄを接近させる方向へ前腕６ｂに対して後腕６ｃを付勢するスプリング（図示略）とを有する。
【００３２】
次に、以上のバーコードマーカー照射器１の作用、効果について説明する。
携帯電話機２にそのカメラ２ａでバーコードを読み取り可能にする所定のアプリケーションをダウンロードしておき、電話機２をバーコード読取モードにしてカメラ２ａでバーコード５を読み取る際に、カメラ２ａをバーコード５の方に向け、例えば表示画面（図示略）に指をタッチすると、フラッシュ光出射部（図示略）から照明光３がバーコード５の方へ照射されてバーコード５に円形の赤色のバーコードマーカー４が照射される。そのバーコードマーカー４でバーコード５を照射しながら、カメラ２ａのスイッチをＯＮしてバーコード５を撮影すると、その撮影終了と同時に照明光３の照射がＯＦＦとなる。尚、バーコード５は１次元バーコードに限らず、２次元バーコードも同様に撮影可能である。
【００３３】
このように、撮影対象のバーコード５に対して赤色の円形のバーコードマーカー４を照射した状態でバーコード５を撮影することができるため、操作者は表示画面に表示されたバーコード５を見ることなく撮影可能であるから、表示画面には関連するデータ入力用画面を表示した状態で、バーコード５の撮影を行うことができる。
【００３４】
また、カメラ２ａによりバーコード５以外の物を撮影する場合には、クリップ６と共に
バーコードマーカー照射器１を電話機２から取り外せば、フラッシュ装置を通常のフラッシュ装置として機能させることができる。
【００３５】
照明光３を絞り部材１２で絞った上で、焦点距離例えば１５ｍｍの凸レンズ１６でもって集光しているため、照明光３の照度を高め、明るいバーコードマーカー４を照射することができる。それ故、暗い環境下でもバーコード５を撮影可能である。そして、凸レンズ１６からバーコード５までの距離を適切に調節することにより、円形のバーコードマーカー４の大きさを調節することができる。
【００３６】
それ故、複数のバーコード５が並んでいる場合でも、所望の１つのバーコード５をバーコードマーカー４で明るく照射しつつ撮影することができる。尚、バーコードマーカー４は、撮影対象のバーコード５を指示するものであるから、バーコードマーカー４により、必ずしもバーコード５の全体を照射する必要はない。
【００３７】
上記のレンズモジュール１０においては、絞り部材１２と赤色フィルター１４の間に装着されるワッシャ部材１３を有するため、ワッシャ部材１３により赤色フィルター１４の外周部を押えてその平面性を確保することができる。
また、上記バーコードマーカー照射器１をクリップ６に固定したため、そのクリップ６を介してバーコードマーカー照射器１を電話機２に簡単に着脱することができる。
【００３８】
上記の実施例では、バーコードマーカー照射器１が電話機２にクリップ６（固定手段）で固定される。但し、バーコードマーカー照射器１は電話機２に直接固定する代わりに電話機カバーに直接固定することも可能である。
【実施例２】
【００３９】
この実施例２のレンズモジュール１０は、実施例１のレンズモジュール１０と同様のものであるので、同一のものに同一の符号を付して説明を省略する。
図５に示すように、このバーコードマーカー照射器１Ａにおいては、前記レンズモジュール１０は、実施例１と同様に、ホルダ部材１１と、絞り部材１２と、ワッシャ部材１３と、フィルター部材１４と、レンズホルダ１５及び凸レンズ１６を有する。
このバーコードマーカー照射器１Ａは、レンズモジュール１０を電話機２又は電話機カバーに着脱可能に固定する固定手段Ｆであるアタッチメント２０であって電話機２又は電話機カバーに両面テープ片又は粘着剤又は接着剤で固定されるアタッチメント２０を有する。
【００４０】
アタッチメント２０は、ホルダ部材１１が螺合されるネジ穴２０ｂを有する環状部２０ａと、この環状部２０ａから一体的に延びる短い腕片２０ｃとを有する。このアタッチメント２０の環状部２０ａは、電話機２又は電話機カバーに両面テープ片又は粘着剤又は接着剤で固定される。このアタッチメント２０を採用するため、バーコードマーカー照射器１Ａを電話機２又は電話機カバーに簡単に固定することができる。尚、レンズモジュール１０をアタッチメント２０から取り外せば、フラッシュ装置を通常のフラッシュ装置として使用することができる。
【実施例３】
【００４１】
この実施例３のレンズモジュール１０は、実施例１のレンズモジュール１０と同様のものであるので、同一のものに同一の符号を付して説明を省略する。
図６、図７に示すように、このバーコードマーカー照射器１Ｂにおいては、レンズモジュール１０Ｂは、実施例１と同様に、ホルダ部材１１Ｂと、絞り部材１２と、ワッシャ部材１３と、フィルター部材１４と、レンズホルダ１５及び凸レンズ１６を有すると共に、最もホルダ部材１１Ｂ側に配置された強力な環状の永久磁石３０を有する。ホルダ部材１１１Ｂの小径部１１ｂには収容穴１１ｅが形成され、永久磁石３０は収容穴１１ｅに装着されている。
【００４２】
レンズモジュール１０Ｂを電話機２又は電話機カバーに着脱可能に固定する固定手段Ｆは、ホルダ部材１１Ｂに装着した永久磁石３０と、電話機２又は電話機カバーに固定された磁性体製の薄い板片３１と、永久磁石３０から出る磁界を遮断する磁気ガードシート３２と、この板片３１と磁気ガードシート３２を電話機２又は電話機カバーに固定する両面テープ片３３又は粘着剤又は接着剤を有する。
【００４３】
上記の構成によれば、永久磁石３０を磁性体製の薄い板片３１に吸着させることで、レンズモジュール１０Ｂを電話機２又は電話機カバーに簡単に着脱することができる。また、板片３１も両面テープ片３３又は粘着剤又は接着剤により電話機２又は電話機カバーに簡単に固定することができる。
【実施例４】
【００４４】
この実施例４のレンズモジュール１０は、実施例１のレンズモジュール１０と同様のものであるので、同一のものに同一の符号を付して説明を省略する。
図８に示すように、このバーコードマーカー照射器１Ｃにおいては、レンズモジュール１０は、実施例１と同様に、ホルダ部材１１と、絞り部材１２と、ワッシャ部材１３と、フィルター部材１４と、レンズホルダ１５及び凸レンズ１６を有する。
【００４５】
レンズモジュール１０を電話機２又は電話機カバーに固定する固定手段Ｆは、ホルダ部材１１を電話機２又は電話機カバーに固定する両面テープ片４０又は粘着剤又は接着剤を有する。この構成によれば、ホルダ部材１１を両面テープ片４０又は粘着剤又は接着剤を介して電話機２又は電話機カバーに簡単に固定することができる。
【実施例５】
【００４６】
この実施例５のレンズモジュール１０Ｂは、実施例３のレンズモジュール１０Ｂと同様のものであるので、同一のものに同一の符号を付して説明を省略する。
図９に示すように、このバーコードマーカー照射器１Ｄにおいては、レンズモジュール１０Ｂは、実施例１と同様に、ホルダ部材１１と、絞り部材１２と、ワッシャ部材１３と、フィルター部材１４と、レンズホルダ１５及び凸レンズ１６を有する。
【００４７】
レンズモジュール１０Ｂを電話機カバー５０に着脱可能に固定する固定手段Ｆは、ホルダ部材１１に装着した永久磁石（図６の永久磁石３０と同様のもの）と、電話機カバー５０に複数の小径ビス５２又は両面テープ片又は粘着剤又は接着剤で固定された磁性体製の板片５１とを有する。この構成によれば、永久磁石を磁性体製の板片５１に吸着させることでレンズモジュール１０Ｂを電話機カバー５０に簡単に着脱することができる。
【００４８】
次に、前記実施例を変更する例について説明する。
前記電話機カバー５０は一例であり、種々の構造、形状の電話機カバーの場合にも本考案を適用可能である。
その他、当業者ならば、本考案の趣旨を逸脱しない範囲で本考案に種々の変更を付加した形態で実施可能であり、本考案はそのような変更形態をも包含するものである。
【符号の説明】
【００４９】
１，１Ａ〜１Ｄ        バーコードマーカー照射器
２      携帯電話機
６      クリップ
１０，１０Ｂ      レンズモジュール
１１，１１Ｂ      ホルダ部材
１２      絞り部材
１３      ワッシャ部材
１４      赤色フィルター
１５      レンズホルダ
１６      凸レンズ
２０      アタッチメント
３０      永久磁石
３１，５１      板片
３２      磁気ガードシート
【図１】
0003220020.tif 000003
【図２】
0003220020.tif 000004
【図３】
0003220020.tif 000005
【図４】
0003220020.tif 000006
【図５】
0003220020.tif 000007
【図６】
0003220020.tif 000008
【図７】
0003220020.tif 000009
【図８】
0003220020.tif 000010
【図９】
0003220020.tif 000011